(57)【要約】  リモート・サービス・システムによって提供されるサービスを利用するための携帯機器が通信システム及びサービス選択用アプリケーションを有する。通信システムはリモート・サービス・システムからサービスメッセージを受信する。サービスメッセージは少なくとも１つのサービス記述子を含む。上記少なくとも１つのサービス記述子のそれぞれは、リモート・サービス・システムによって提供される少なくとも１つのサービスの１つを特定する記述子である。サービス選択用アプリケーションは、上記少なくとも１つのサービス記述子に対して少なくとも１つのコンテキストルールを適用して、リモート・サービス・システムにより提供されるサービスのうちの選択された１つのサービスを決定するものである。この少なくとも１つのコンテキストルールを適用するステップは、ｉ）携帯機器の現在のコンテキスト係数を特定するステップと、ｉｉ）上記少なくとも１つのサービス記述子のどの記述子が携帯機器の現在のコンテキスト係数に関連づけられているかを特定することによって、上記サービスのうちの選択された１つのサービスを特定するステップと、を含むことができる。次いで、サービス用アプリケーションは、通信システムを駆動して、リモート・サービス・システムとデータ交換を行って、リモート・サービス・システムにより提供されるサービスのうちの選択された１つのサービスの利用が開始されることになる。
2010509826.tif 000002
【特許請求の範囲】
【請求項１】
リモート・サービス・システムによって提供されるサービスを利用するための携帯機器であって、
前記リモート・サービス・システムからサービスメッセージを受信する通信システムであって、前記サービスメッセージは少なくとも１つのサービス記述子を含み、前記少なくとも１つのサービス記述子のそれぞれは、前記リモート・サービス・システムによって提供されるサービスを特定する、通信システムと、
サービス選択用アプリケーションであって、
前記リモート・サービス・システムによって提供される前記サービスのうちの選択された１つのサービスを決定するために、少なくとも１つのコンテキストルールを適用し、
前記リモート・サービス・システムによって提供される前記サービスのうちの前記選択された１つのサービスの利用を開始するために、前記リモート・サービス・システムとデータ交換を行うべく前記通信システムを駆動する
サービス選択用アプリケーションと
を備えることを特徴とする携帯機器。
【請求項２】
前記サービスメッセージは少なくとも２つのサービス記述子を含み、前記少なくとも２つのサービス記述子のそれぞれは、前記リモート・サービス・システムにより提供される少なくとも２つのサービスのうちの１つのサービスを特定し、
前記サービス選択用アプリケーションは、前記リモート・サービス・システムによって提供される前記少なくとも２つのサービスのうちの選択された１つのサービスを決定するために、前記少なくとも１つのコンテキストルールを適用する
ことを特徴とする請求項１に記載の携帯機器。
【請求項３】
前記リモート・サービス・システムによって提供される前記サービスのうちの選択された１つのサービスを決定するための、少なくとも１つのコンテキストルールの適用には、
前記携帯機器の現在のコンテキスト係数の特定と、
前記少なくとも１つのサービス記述子のどの記述子が前記携帯機器の現在のコンテキスト係数に関連づけられているかの特定による、前記サービスのうちの選択された１つのサービスの特定と、
が含まれることを特徴とする請求項２に記載の携帯機器。
【請求項４】
前記携帯機器の現在のコンテキスト係数の特定には、前記携帯機器の少なくとも現在のアプリケーション状態の特定が含まれ、
前記少なくとも１つのサービス記述子のうちのいずれが前記携帯機器の現在のコンテキスト係数に関連づけられているかの特定による、前記サービスのうちの選択された１つのサービスの特定には、サービス記述子のうちの少なくとも１つのどの記述子が前記携帯機器の現在のアプリケーション状態に関連づけられているかの特定による、前記サービスのうちの選択された１つのサービスの特定が含まれる
ことを特徴とする請求項３に記載の携帯機器。
【請求項５】
前記携帯機器の現在のコンテキスト係数の特定には、i）表示コンテンツ係数と、ii）オーディオコンテンツ係数と、iii）アクセサリ状態係数と、iv）装置位置係数と、v）他の装置との近接度係数と、vi）装置モーション係数と、vii）キーストロークの履歴係数と、viii）装置ＩＤ係数と、から成るコンテキスト係数のグループから選択された少なくとも１つの追加のコンテキスト係数の特定が、さらに含まれることを特徴とする請求項４に記載の携帯機器。
【請求項６】
前記通信システムは第１の通信システムと第２の通信システムとを備え、
前記第１の通信システムは前記リモート・サービス・システムからサービスメッセージを受信し、
前記サービスメッセージは少なくとも１つのトランスポートオプションの識別子をさらに含み、前記少なくとも１つのトランスポートオプションは前記少なくとも１つのサービスの利用を開始するための起動アドレスの識別子を含み、
前記サービス選択用アプリケーションは、起動アドレスへのメッセージを開始することによって前記リモート・サービス・システムとデータ交換を行うために、前記第２の通信システムを駆動する
ことを特徴とする請求項５に記載の携帯機器。
【請求項７】
ユーザインタフェースをさらに備え、
前記サービス選択用アプリケーションは、さらに、
前記ユーザインタフェースを介して、前記サービスのうちの選択された１つのサービスの表示を提供し、
前記ユーザインタフェースを介して、前記サービスのうちの選択された１つのサービスの利用開始の前記ユーザの意思を確認し、
前記リモート・サービス・システムによって提供される前記サービスのうち前記選択された１つのサービスの利用を前記確認の後にのみ開始するために、前記リモート・サービス・システムとデータ交換を行うべく前記通信システムを駆動する
ことを特徴とする請求項６に記載の携帯機器。
【請求項８】
前記少なくとも１つのサービス記述子のどの記述子が前記携帯機器の現在のコンテキスト係数に関連づけられているかの特定による、前記サービスのうちの選択された１つのサービスの特定には、現在のコンテキスト係数の識別子と少なくとも１つのサービスの利用履歴との間の関連付けに基づく、前記少なくとも１つのサービス記述子のうちのいずれが前記携帯機器の現在のコンテキスト係数に関連づけられているかの特定が含まれることを特徴とする請求項３に記載の携帯機器。
【請求項９】
前記携帯機器の現在のコンテキスト係数の特定には、i）表示コンテンツ係数と、ii）オーディオコンテンツ係数と、iii）アクセサリ状態係数と、iv）装置位置係数と、v）他の装置との近接度係数と、vi）装置モーション係数と、vii）キーストロークの履歴係数と、viii）装置ＩＤ係数と、から成るコンテキスト係数のグループから選択された少なくとも１つの追加のコンテキスト係数の特定がさらに含まれることを特徴とする請求項８に記載の携帯機器。
【請求項１０】
前記通信システムは第１の通信システムと第２の通信システムとを備え、
前記第１の通信システムは前記リモート・サービス・システムからサービスメッセージを受信し、前記サービスメッセージは少なくとも１つのトランスポートオプションの識別子をさらに含み、前記少なくとも１つのトランスポートオプションは、前記少なくとも１つのサービスの利用を開始するための起動アドレスの識別子を含み、
前記サービス選択用アプリケーションは、起動アドレスへのメッセージを開始することによって前記リモート・サービス・システムとデータ交換を行うために、前記第２の通信システムを駆動する
ことを特徴とする請求項８に記載の携帯機器。
【請求項１１】
前記リモート・サービス・システムによって提供される前記少なくとも２つのサービスのうちの選択された１つのサービスを決定するための、前記少なくとも１つのコンテキストルールの適用が、
前記携帯機器の現在のコンテキスト係数の特定と、
前記サービス記述子のうちいずれが前記携帯機器の現在のコンテキスト係数に関連づけられているかを特定することによる、少なくとも２つの選択されたサービスの特定とを含み、
前記サービス選択用アプリケーションは、さらに、
優先順位を特定するために、少なくとも２つの選択されたサービスに対して少なくとも１つの優先順位ルールを適用し、
前記ユーザインタフェースを介して、前記少なくとも２つの選択されたサービスを前記優先順位で表示し、
前記少なくとも２つの選択されたサービスのうちの選択された１つのサービスの前記ユーザによる選択指示を前記ユーザインタフェースを介して取得し、
前記サービス選択用アプリケーションは、前記ユーザによる選択指示を取得した後にのみ前記リモート・サービス・システムにより提供される前記サービスのうちの前記選択された１つのサービスの利用を開始するために、前記リモート・サービス・システムとデータ交換を行うべく前記通信システムを駆動する
ことを特徴とする請求項２に記載の携帯機器。
【請求項１２】
前記優先順位を特定するための、前記少なくとも２つの選択されたサービスに対する前記少なくとも１つの優先順位ルールの適用は、現在のコンテキスト係数の識別子と前記サービスの利用履歴との間の関連付けに基づくことを特徴とする請求項１１に記載の携帯機器。
【請求項１３】
前記少なくとも２つの選択されたサービスの特定は、現在のコンテキスト係数の識別子と前記サービスの利用履歴との間の関連付けに基づく、前記サービス記述子のうちのいずれが前記携帯機器の前記現在のコンテキスト係数に関連づけられるかの特定を含み、
前記優先順位を特定するための、前記少なくとも２つの選択されたサービスに対する前記少なくとも１つの優先順位ルールの適用は、現在のアプリケーション状態の識別子と、前記少なくとも２つの選択されたサービスの利用履歴との間の関連付けに基づく
ことを特徴とする請求項１１に記載の携帯機器。
【請求項１４】
リモート・サービス・システムによって提供されるサービスを利用するための携帯機器の動作方法であって、
前記リモート・サービス・システムからサービスメッセージを受信する工程であって、前記サービスメッセージは少なくとも１つのサービス記述子を含み、前記少なくとも１つのサービス記述子のそれぞれは、前記リモート・サービス・システムによって提供されるサービスを特定する、工程と、
前記リモート・サービス・システムによって提供される前記サービスのうちの選択された１つのサービスを決定するために、少なくとも１つのコンテキストルールを適用する工程と、
前記リモート・サービス・システムによって提供される前記サービスのうちの前記選択された１つのサービスの利用を開始するために、前記リモート・サービス・システムとデータ交換を行うべく前記通信システムを駆動する工程と、
を備えることを特徴とする方法。
【請求項１５】
前記サービスメッセージは少なくとも２つのサービス記述子を含み、前記少なくとも２つのサービス記述子のそれぞれは、前記リモート・サービス・システムにより提供される少なくとも２つのサービスのうちの１つのサービスを特定し、
前記リモート・サービス・システムによって提供される前記サービスのうちの選択された１つのサービスを決定するために、少なくとも１つのコンテキストルールを適用する工程は、前記リモート・サービス・システムによって提供される前記少なくとも２つのサービスのうちの選択された１つのサービスを決定するために前記少なくとも１つのコンテキストルールを適用する工程を含む
ことを特徴とする請求項１４に記載の方法。
【請求項１６】
前記リモート・サービス・システムによって提供される前記サービスのうちの選択された１つのサービスを決定するために、少なくとも１つのコンテキストルールを適用する工程は、
前記携帯機器の現在のコンテキスト係数を特定する工程と、
前記少なくとも１つのサービス記述子のいずれが前記携帯機器の現在のコンテキスト係数に関連づけられるかを特定することによって、前記サービスのうちの選択された１つのサービスを特定する工程と、
を含むことを特徴とする請求項１５に記載の方法。
【請求項１７】
前記携帯機器の現在のコンテキスト係数を特定する工程は、前記携帯機器の少なくとも現在のアプリケーション状態を特定する工程を含み、
前記少なくとも１つのサービス記述子のうちいずれが前記携帯機器の現在のコンテキスト係数に関連づけられているかを特定することによって、前記サービスのうちの選択された１つのサービスを特定する工程は、サービス記述子のうちの少なくとも１つのどの記述子が前記携帯機器の現在のアプリケーション状態に関連づけられているかを特定することによって、前記サービスのうちの選択された１つのサービスを特定する工程を含む
ことを特徴とする請求項１６に記載の方法。
【請求項１８】
前記携帯機器の現在のコンテキスト係数を特定する工程は、i）表示コンテンツ係数と、ii）オーディオコンテンツ係数と、iii）アクセサリ状態係数と、iv）装置位置係数と、v）他の装置との近接度係数と、vi）装置モーション係数と、vii）キーストロークの履歴係数と、viii）装置ＩＤ係数と、から成るコンテキスト係数のグループから選択された少なくとも１つの追加のコンテキスト係数を特定する工程をさらに含むことを特徴とする請求項１７に記載の方法。
【請求項１９】
前記リモート・サービス・システムから前記サービスメッセージを受信する工程は第１の通信システムを介して行われ、
前記サービスメッセージは少なくとも１つのトランスポートオプションの識別子をさらに含み、前記少なくとも１つのトランスポートオプションは、前記少なくとも１つのサービスの利用を開始するための起動アドレスの識別子を含み、
前記サービス選択用アプリケーションは、起動アドレスへのメッセージを開始することによって前記リモート・サービス・システムとデータ交換を行うために、前記第２の通信システムを駆動する
ことを特徴とする請求項１８に記載の方法。
【請求項２０】
ユーザインタフェースを介して、前記サービスのうちの選択された１つのサービスの表示を提供する工程と、
前記ユーザインタフェースを介して、前記サービスのうちの選択された１つのサービスの利用開始の前記ユーザの意思を確認する工程とをさらに備え、
前記リモート・サービス・システムによって提供される前記サービスのうち前記選択された１つのサービスの利用を開始すべく行われる前記リモート・サービス・システムとデータ交換のための前記通信システムの駆動が、前記確認の後に行われることを特徴とする請求項１９に記載の方法。
【請求項２１】
前記少なくとも１つのサービス記述子のいずれが前記携帯機器の現在のコンテキスト係数に関連づけられるかを特定することによって、前記サービスのうちの選択された１つのサービスを特定する工程が、現在のコンテキスト係数の識別子と少なくとも１つのサービスの利用履歴との間の関連付けに基づいて、前記サービス記述子のうちのいずれが前記携帯機器の現在のアプリケーション状態に関連づけられているかを特定する工程を含むことを特徴とする請求項１６に記載の方法。
【請求項２２】
前記携帯機器の現在のコンテキスト係数を特定する工程は、i）表示コンテンツ係数と、ii）オーディオコンテンツ係数と、iii）アクセサリ状態係数と、iv）装置位置係数と、v）他の装置との近接度係数と、vi）装置モーション係数と、vii）キーストロークの履歴係数と、viii）装置ＩＤ係数と、から成るコンテキスト係数のグループから選択された少なくとも１つの追加のコンテキスト係数を特定する工程をさらに含むことを特徴とする請求項２１に記載の方法。
【請求項２３】
前記リモート・サービス・システムから前記サービスメッセージを受信する工程は第１の通信システムを介して行われ、
前記サービスメッセージは少なくとも１つのトランスポートオプションの識別子をさらに含み、前記少なくとも１つのトランスポートオプションは、前記少なくとも１つのサービスの利用を開始するための起動アドレスの識別子を含み、
前記サービス選択用アプリケーションは、起動アドレスへのメッセージを開始することによって前記リモート・サービス・システムとデータ交換を行うために、第２の通信システムを駆動する
ことを特徴とする請求項２１に記載の方法。
【請求項２４】
前記リモート・サービス・システムによって提供される前記サービスのうちの選択された１つのサービスを決定するために、前記少なくとも１つのコンテキストルールを適用する工程が、
前記携帯機器の現在のコンテキスト係数を特定する工程と、
前記サービス記述子のうちのいずれが前記携帯機器の現在のコンテキスト係数に関連づけられているかを特定することによって、少なくとも２つの選択されたサービスを特定する工程とを備え、
優先順位を特定するための、少なくとも２つの選択されたサービスに対する少なくとも１つの優先順位ルールの適用は、現在のコンテキスト係数の識別子と前記サービスの利用履歴との間の関連付けに基づいて実行される
ことを特徴とする請求項１６に記載の方法。
【請求項２５】
前記少なくとも２つの選択されたサービスを特定する工程は、前記サービス記述子のうちのいずれが、現在のコンテキスト係数の識別子と前記サービスの利用履歴との間の関連付けに基づいて、前記携帯機器の前記現在のコンテキスト係数に関連づけられるかを特定する工程を含み、
前記優先順位を特定するの、少なくとも２つの選択されたサービスに対する少なくとも１つの優先順位ルールの適用は、現在のアプリケーション状態の識別子と、前記少なくとも２つの選択されたサービスの利用履歴との間の関連付けに基づいて実行される
ことを特徴とする請求項２４に記載の方法。
【請求項２６】
ユーザインタフェースを介して、前記少なくとも２つの選択されたサービスを前記優先順位で表示する工程と、
前記少なくとも２つの選択されたサービスのうちの選択された１つのサービスの前記ユーザによる選択指示を前記ユーザインタフェースを介して取得する工程と、、
前記ユーザ選択指示を取得した後にのみ前記リモート・サービス・システムによって提供される前記サービスのうちの前記選択された１つのサービスの利用を開始するために前記リモート・サービス・システムとデータ交換を行うべく、前記通信システムを駆動する工程と、
をさらに備えることを特徴とする請求項２５に記載の方法。
【発明の詳細な説明】
【技術分野】
【０００１】
本発明は、携帯機器においてサービスの選択を行うためのシステム及び方法に関し、詳細には、表示及びユーザによる選択を行うためのリモートサービスオプションを選択し、優先するためのシステム及び方法に関するものである。
【背景技術】
【０００２】
現代の携帯機器には、従来の無線電話用アプリケーションを上回る種々のアプリケーションの動作をサポートするオペレーティングシステムを備えた移動電話機、携帯情報端末（ＰＤＡ）及びその他の移動電子装置が含まれている。
【０００３】
専らデスクトップ型又はノート型コンピュータシステム用として従来利用可能なアドレス帳アプリケーションに匹敵するアドレス帳アプリケーション、電子メールアプリケーション、写真撮像用アプリケーション、写真編集及び閲覧用アプリケーション、ウェブブラウズ用アプリケーション、インスタントメッセージング用アプリケーション、ＭＰ３プレイヤ用アプリケーション、ゲームなどを含む最もありふれたアプリケーションのいくつかが現在携帯機器によって処理されている。
【０００４】
多岐にわたるアプリケーションをサポートするオペレーティングシステムを含んでいることに加えて、現代の移動体通信装置にはマルチデータトランスポートシステムがさらに含まれている。移動体通信装置が、ｉ）移動電話網のような広域ネットワーク（ＷＡＮ）サービスプロバイダのシステムを介して音声とデータとをトランスポートするための広域ネットワーク通信システムと、ｉｉ）インターネットサービスプロバイダ（ＩＳＰ）ネットワーク、あるいは、消費者用電子機器、コンピュータ、又はコンピュータ周辺機器のような、動作可能なＷｉ−Ｆｉによる他のデバイスと通信を行うために、ローカルエリアネットワーク（ＬＡＮ）を介してＩＰプロトコルを用いて行うデータトランスポート用のＷｉＦｉ通信システムと、ｉｉｉ）Bluetooth（登録商標）による動作が可能な他のデバイスとのデータのシリアルな交換を行うためのBluetooth（登録商標）通信システムと、ｉｖ）赤外線による動作が可能な他のデバイスとシリアルなデータ交換を行うための（ＩｒＤＡなどの）赤外線通信システムとのうちの少なくともいずれかのシステムの１以上の組み合わせを含むことは稀なことではない。
【０００５】
さらに、現代の移動体通信装置は、ＮＦＣタグからデータを読み出すか、ＮＦＣによる動作が可能な他のデバイスとデータ交換を行うかの少なくともいずれかを行うための近距離場通信（ＮＦＣ）システムを含むことができる。ＮＦＣシステムのための１つの共通のアプリケーション又は用途として、ＮＦＣによる動作が可能な他のデバイスとのサービスの開始がある。さらに詳述すると、ＮＦＣシステムを用いて（例えば、ＮＦＣタグの読出しなどの）初期の通信が確立され、選択されたサービスに基づいてデータ転送を行うために他の通信リンクがオープンされる。
【０００６】
例えば、「スマートポスター」によるサービスの促進、ＮＦＣタグを中に含む製品の販売促進の可能性が予見されている。ＮＦＣタグにつながる移動体通信装置に触れることによって、移動体通信装置のＮＦＣシステムは、例えば、チケット予約サービスなどの、ポスターのコンテンツに関係する追加情報又はサービスの提供を行うウェブサイトを表すＵＲＬを受信することが可能となる。別の例では、ＮＦＣによる動作が可能なプリンタが提案されている。移動体通信装置のユーザは、移動体通信装置における写真の編集と閲覧の少なくともいずれかを入力し、プリンタのＮＦＣシステムにつながる移動体通信装置のＮＦＣシステムに触れることができる。次いで、移動体通信装置及びプリンタはBluetooth（登録商標）接続をオープンし、（単複の）写真をプリンタへ送信することができる。予見されるアプリケーション又はサービスを示すさらに別の例として、支払い処理及び電子チケットの発行と償還を開始するためのＮＦＣの利用を含むものもある。
【０００７】
ＮＦＣシステムを備えたこれらの高度に進歩した移動体通信装置を広範に利用することによって、コンピュータ、ゲームコンソール、テレビ、音楽プレイヤ、デジタルカメラ、及びサービスキオスクを含む別のＮＦＣによる動作が可能なサービスシステムの成長とダイバーシティとを促されることになることが予想される。これらのデバイスは、ログイン、バックアップ、同期、データのアップロード／ダウンロード、支払いなどのような広範なサービス又はアプリケーションを提供することになる。
【０００８】
移動体通信装置がリモートＮＦＣシステムにコンタクトされると、多数のアプリケーション又はサービスの利用が可能になり得るという点で挑戦すべき課題が生じることになる。スマートなポスターの例では、複数のＵＲＬが利用可能になり得る。ＮＦＣによる動作が可能なプリンタの例では、プリンタは、（例えば、従来のレーザプリンタによって提供されるような印刷などの）他のサービス、高解像度写真印刷、ＣＤへのファイルの焼き付け、及びコンピュータの周辺機器システムによって一般に実行される別の種類のサービスを提供するサービスキオスクのコンピュータシステムの一部にすることができる。複数の支払いオプションも利用できるようになる。
【０００９】
通常の携帯機器はサイズ上の制約条件によって制限されるユーザインタフェースを備えている。したがって、ディスプレイは狭くなり、キーボードのキーの数は制限を受ける場合がある。このことに起因して複数の利用可能なサービスのうちの１つを選択することがやっかいになる可能性がある。
【００１０】
リモート・サービス・システムにより提供されるアプリケーション又はサービスの利用を選択し、開始することが容易になるように、移動電話機、ＰＤＡ、又は同様の移動体通信装置のような携帯機器を動作させるためのシステム及び方法が必要である。さらに詳細には、リモート・サービス・システムが少なくとも２つのサービスを提供する環境において、リモート・サービス・システムにより提供されるアプリケーション又はサービスの利用を選択し、開始することが容易になるように、移動電話機、ＰＤＡ、又は同様の移動体通信装置のような携帯機器を動作させるためのシステム及び方法が必要である。
【発明の概要】
【００１１】
本発明の第１の側面はリモート・サービス・システムによって提供されるサービスを利用するための携帯機器を有する。携帯機器は、通信システム及びサービス選択用アプリケーションを有する。通信システムはリモート・サービス・システムからサービスメッセージを受信する。サービスシステムが少なくとも２つのサービスを提供するとき、サービスメッセージは少なくとも２つのサービス記述子を有するものとなる。上記少なくとも２つのサービス記述子のそれぞれは、リモート・サービス・システムによって提供される少なくとも２つのサービスのうちの１つを特定する記述子である。サービス選択用アプリケーションは、上記少なくとも２つのサービス記述子に対して少なくとも１つのコンテキストルールを適用して、リモート・サービス・システムにより提供されるサービスのうちの選択された１つのサービスを決定するものである。
【００１２】
少なくとも１つのコンテキストルールを適用して、リモート・サービス・システムによって提供されるサービスのうちの選択された１つのサービスの決定は、ｉ）携帯機器の現在のコンテキスト係数の特定と、ｉｉ）上記少なくとも１つのサービスのどのサービスが携帯機器の現在のコンテキスト係数に関連づけられているかの特定による、上記サービスのうちの選択された１つのサービスの特定と、を含むことができる。
【００１３】
１つの例示の実施形態において、携帯機器の現在のコンテキスト係数の特定は、携帯機器の少なくとも現在のアプリケーション状態の特定を含むことができる。その場合、少なくとも１つのサービスのどのサービスが携帯機器の現在のアプリケーション状態に関連づけられているかの特定により、サービスのうちの選択された１つのサービスを特定する。
【００１４】
別の例示の実施形態では、少なくとも１つのサービスのうちのどのサービスが携帯機器の現在のコンテキスト係数に関連づけられているかの特定は、現在のコンテキスト係数の識別子と少なくとも１つのサービスの利用履歴との間の関連付けに基づく、少なくとも１つのサービスのうちのどのサービスが携帯機器の現在のコンテキスト係数に関連づけられているかの特定を含むことができる。
【００１５】
例示の実施形態のいずれかにおいて、携帯機器は（ＮＦＣシステムのような）第１の通信システムと、（Bluetooth（登録商標）、ＷｉＦｉ、ＩｒＤＡなどのような）第２の通信システムとを含むことができる。第１の通信システムは上記リモート・サービス・システムからサービスメッセージを受信することができる。サービスメッセージは少なくとも１つのトランスポートオプションの識別子をさらに含むことができる。少なくとも１つのトランスポートオプションは、少なくとも１つのサービスの利用を開始するための起動アドレスの識別子を含むことができる。サービス選択用アプリケーションは、第２の通信システムを駆動して、起動アドレスへのメッセージを開始することによってリモート・サービス・システムとデータ交換を行う。
【００１６】
携帯機器はユーザインタフェースをさらに備えることができる。したがって、サービス選択用アプリケーションは、オプションとして、ユーザインタフェースを介してサービスのうちの選択された１つのサービスを表示し、次いで、ユーザインタフェースを介してサービスのうちの選択された１つのサービスを利用する旨のユーザの意思を確認することができる。上記オプションが実現された場合、サービス選択用アプリケーションは、通信システムを駆動して、リモート・サービス・システムとデータ交換を行って、リモート・サービス・システムにより提供されるサービスのうちの選択された１つのサービスの利用は、確認を得た後でのみ開始されることになる。
【００１７】
コンテキストルールがサービスのうちの選択された１つのサービスを決定的に特定できない状況で有用となるさらに別のオプションの実施形態において、少なくとも１つのコンテキストルールを適用して、リモート・サービス・システムが提供するサービスのうちの選択された１つのサービスの決定には、ｉ）携帯機器の現在のコンテキスト係数の特定と、ｉｉ）サービス記述子のいずれが携帯機器の現在のコンテキスト係数に関連づけられているかの特定による、少なくとも２つの選択されたサービスの特定と、を含むことができる。
【００１８】
本実施形態では、上記サービスの選択では、ｉ）少なくとも２つの選択したサービスに対して少なくとも１つの優先順位ルールを適用して優先順位を特定し、次いで、ｉｉ）ユーザインタフェースを介して少なくとも２つの選択されたサービスを優先順に表示し、そして、ｉｉｉ）少なくとも２つの選択されたサービスのうちの１つの選択されたサービスについてのユーザによる選択指示をユーザインタフェースを介して取得することになる。このケースでは、サービス選択用アプリケーションは、通信システムを駆動して、リモート・サービス・システムとデータ交換を行い、ユーザによる選択指示を取得した後にのみリモート・サービス・システムにより提供されるサービスのうちの選択された１つのサービスの利用が開始されることになる。
【００１９】
１つのサブ実施形態では、少なくとも２つの選択されたサービスに対する少なくとも１つの優先順位ルールの適用は、現在のコンテキスト係数の識別子とサービスの利用履歴との間の関連付けに基づいて実行することができる。
【００２０】
別のサブ実施形態では、少なくとも２つの選択されたサービスに対する少なくとも１つの優先順位ルールの適用は、携帯機器の現在のコンテキスト係数とサービスの利用履歴との間の関連付けに基づいて実行することができる。
【００２１】
上述の目的及び関連する目的を達成するために、本発明は、以下十分に説明し、請求項において特に指摘される特徴を有するものとなる。以下の説明及び付属図面において本発明の或る実施形態例を詳細に記載する。しかし、これらの実施形態は、本発明の原理を採用することが可能な種々の方法のうちの２、３の方法のみを示すものである。図面と共に考察するとき、本発明の別の目的、効果及び新規の特徴は本発明についての以下の詳細な説明から明らかになる。
【００２２】
本明細書で使用される場合、「備える／備えている（comprises／comprising）」という用語は、言及された特徴、整数、ステップ又は構成の存在を特定するために用いられるが、これら以外の特徴、整数、ステップ、構成、又はこれらのグループの存在又は追加を排除するものではない、という点に留意されたい。
【図面の簡単な説明】
【００２３】
【図１】本発明の一実施形態に係るリモート・サービス・システムからサービスを取得するために携帯機器を利用するアーキテクチャの例を表す線図である。
【図２】本発明の１つの実施例に係るサービス選択用アプリケーションの動作例を表すフローチャートである。
【図３ａ】本発明の一実施形態に係るコンテキスト係数の例を表すテーブルである。
【図３ｂ】本発明の一実施形態に係る選択用アプリケーションを用いて処理を行うコンテキストデータベースの例である。
【図４】本発明の一実施形態に係るサービスの選択を表す携帯機器の例である。
【図５】本発明の１つのオプションの実施形態に係るサービス及びトランスポートオプションの選択オプションステップを表す携帯機器の例である。
【発明を実施するための形態】
【００２４】
本願明細書に記載されている場合「電子機器」という用語は携帯用の無線通信機器を含むものとする。「携帯用無線通信機器」という用語は、本明細書では、移動電話機、ページャ、電子手帳、パーソナル・デジタル・アシスタント（ＰＤＡ）、スマートフォン等のコミュニケータのようなすべての機器を含む「移動無線端末」又は「携帯機器」も意味するものとする。
【００２５】
本明細書で上述した要素の多くは、それらの呼称が「システム」、「モジュール」、「回路」あるいは同様の呼称の如何に関らず、（単複の）ハードウェア回路、ソフトウェアコードを実行するプロセッサの形で実装するか、コードを実行するハードウェア回路とプロセッサとを組み合わせた形で実装することが可能である。したがって、本明細書を通じて用いられているような回路という用語は、（個別の要素又は一体化された回路ブロックの如何に関らず）ハードウェア回路、コードを実行するプロセッサ、コードを実行するハードウェア回路とプロセッサとの組み合わせ、並びに、当業者には公知の上記のその他の組み合わせの包含を意図する用語である。
【００２６】
図面において、参照番号が付された個々の要素は、参照番号に後続するいずれの文字指定とは関係なく、同じ参照番号が付された他の要素と類似した要素である。テキストにおいて、参照番号に後続してある特定の文字指定が付された参照番号は番号と文字指定が付された特定の要素を意味し、ある特定の文字指定が付されていない参照番号は、参照番号に後続するいずれの文字指定とも関係なく、図面内の同じ参照番号が付されたすべての要素を意味するものとする。
【００２７】
本願に表されているテーブルとデータベース構造の少なくともいずれかは単に例示として示されているものであり、種々のデータ要素間の関係の対応付けを示すことを意図するものである。当業者であれば、本発明の範囲から逸脱することなく、（ＸＭＬファイルを含む）別のテーブルとデータベース構造の少なくともいずれかが、本発明を実施するために役に立つ関係を維持できるように、同様のデータ要素を記憶できることを認めるであろう。
【００２８】
図１を参照すると、リモート・サービス・システム３０からサービスを取得するために携帯機器３６を利用するためのシステム１０用のアーキテクチャの例が示されている。システム例１０によれば、リモート・サービス・システム３０は、ＮＦＣによる動作が可能な携帯機器３６へ複数のアプリケーション又はサービスを提供することができる。
【００２９】
アプリケーション又はサービスは、ｉ）（例えば、従来のレーザプリンタによって提供されるような印刷などの）文書の高速印刷を行うための高速印刷サービス３０ａと、ｉｉ）写真の高解像度印刷を行うための高解像度カラー印刷サービス３０ｂと、ｉｉｉ）（ＭＰ３、ＰＤＦ、又は他の任意のフォーマットなどの）データファイルのＣＤ又はＤＶＤへの書込みを行うためのＤＶＤ／ＣＤ焼き付けサービス３０ｃと、ｉｖ）携帯機器３６においてブラウザを特定のＵＲＬへリダイレクトするＵＲＬリダイレクトサービス（図示せず）と、ｖ）ログイン、同期、データのアップロード／ダウンロード、支払い、などのような種々のアプリケーション又はサービスとのうちの少なくともいずれかのようなアプリケーション又はサービスの任意の順列であってもよい。
【００３０】
近距離場通信装置（ＮＦＣ装置）１６は、携帯機器３６へサービスメッセージ１２を通信する手段としてリモート・サービス・システム３０と結合することができる（又はリモート・サービス・システムはＮＦＣ装置１６を含むことができる）。サービスメッセージ１２は１以上のサービス記述子１３を含むものであってもよく、かつ、適用可能であれば対応するトランスポートオプションインジケータ１５を含むものであってもよい。
【００３１】
例示の実施形態では、リモート・サービス・システム３０は少なくとも２つのサービスを提供し、したがってサービスメッセージ１２には少なくとも２つのサービス記述子１３が含まれることになる。個々のサービス記述子１３は、リモート・サービス・システム３０によって提供される複数のサービス３０ａ〜３０ｃのうちの１つのサービスを特定するか、あるいはこのサービスを記述し、次いで、特定された又は記述されたサービス３０ａ〜３０ｃを利用するためのサービスパラメータを特定するか、あるいはこのサービスパラメータを記述することができる。例えば、ｉ）サービス記述子１３ａは高速印刷サービス３０ａを特定し、次いで、高速印刷サービス３０ａのパラメータ又はその利用を記述することができる。ｉｉ）サービス記述子１３ｂは高解像度カラー印刷サービス３０ｂを特定し、次いで、写真印刷サービス３０ｂの使用パラメータを記述することができる。ｉｉｉ）サービス記述子１３ｃは、ＤＶＤ／ＣＤ焼き付けサービス３０ｃを特定し、次いで、ＤＶＤ又はＣＤへファイルを書き込むサービス３０ｃの使用パラメータを記述することができる。
【００３２】
個々のトランスポートオプションインジケータ１５は、サービス３０ａ〜３０ｃのうちの１つのサービスにアクセスするために利用可能なトランスポート手段３３について記述する。トランスポートオプションインジケータ１５は、メディアと、サービス３０ａ〜３０ｃのうちの少なくとも１つのサービスの利用を開始するための起動アドレスの識別子との組み合わせを示すことができる。例えば、ｉ）トランスポートオプションインジケータ１５ａは、携帯機器３６がサービス３０ａ〜３０ｃにアクセスするためのリモート・サービス・システム３０の互換性を有するBluetoothモジュール３３ａとBluetooth接続を確立することを可能にするためにBluetoothＩＤ（ＢＤ  ＡＤＤＲ）を表すことができる。ｉｉ）トランスポートオプションインジケータ１５ｂは、インターネットプロトコル（ＩＰ）アドレス又は携帯機器３６がサービス３０ａ〜３０ｃにアクセスするためのリモート・サービス・システム３０のＴＣＰ／ＩＰサーバ３３ｂとＴＣＰ／ＩＰ接続を確立することを可能にするポート番号を表すことができる。ｉｉｉ）トランスポートオプションインジケータ１５ｃは、ポート番号又は携帯機器３６が、サービス３０ａ〜３０ｃにアクセスするためのリモート・サービス・システム３０のウェブサービスサーバ３３ｃとの、シンプルオブジェクトアクセスプロトコル（ＳＯＡＰ）メッセージング用ウェブサービスセッションを開始するためのインターネットプロトコル（ＩＰ）アドレス及びＵＲＬを表すことができる。さらに、ｉｖ）トランスポートオプションインジケータ１５ｄは、サービス３０ａ〜３０ｃにアクセスするためのリモートシステム３０の互換性を有するＩｒＤＡモジュール３３ｄとのＩｒＤＡ接続の開始を可能にするために、携帯機器３６用のＩｒＤＡのような赤外線接続プロトコルを記述することができる。
【００３３】
上記トランスポートオプションは例示のオプションであると理解すべきである。当業者であれば、サービスの利用を開始するためのリモート・サービス・システム３０との通信を可能にする携帯機器３６用の他のトランスポートオプションが存在し、本発明の実装構成のために、あるいは、サービスを取得するために他の任意の適用可能なトランスポートデータのために該トランスポートオプションが適用可能であることを認めるであろう。さらに、リモート・サービス・システム３０とのＳＯＡＰメッセージング用ウェブサービスセッションの開始が携帯機器３６により可能となるように、トランスポートオプションインジケータ１５ｂがＩＰアドレスポート番号又はＵＲＬを表す一例では、サービスメッセージ１２は、サービスにアクセスするために必要とされるＸＭＬメッセージングを記述する従来のウェブサービス記述言語（ＷＳＤＬ）ドキュメントをさらに含むことができる。
【００３４】
例示の実施形態では、携帯機器３６は、移動電話機（従来の電話機又はスマートフォン）、ページャ、電子手帳、ＰＤＡ、又は携帯用通信装置の他の任意の実施形態のうちのいずれかであってもよい。携帯機器３６はアプリケーション５１を実行するためのプロセッサ４１を含むことができる。アプリケーション５１は、携帯機器用オペレーティングシステム５７及び、アドレス帳アプリケーション５９ａ、電子メールアプリケーション５９ｂ、写真の撮影及び編集／閲覧用アプリケーション５９ｃ、ウェブ閲覧用アプリケーション５９ｄ、ＭＰ３プレイヤ用アプリケーション５９ｅ、ビデオファイルのレンダリングの種々のフォルマント用のビデオレンダリング用アプリケーション５９ｅ、及びインスタントメッセージング用アプリケーション、ゲームなどの他の各種アプリケーションのような、現代の携帯機器の中に一般にインストールされているアプリケーションのうちのいずれかのアプリケーションを含むことができる。さらに、本発明を実施することを目的として、アプリケーション５１はサービス選択用アプリケーション５２を含む。このサービス選択用アプリケーション５２の詳細については本明細書で以下説明する。
【００３５】
携帯機器３６は、近距離場通信（ＮＦＣ）システム３７を含む種々の周辺機器システム４３をさらに備えることができる。ＮＦＣシステム３７は、サービスメッセージ１２を取得するためにリモート・サービス・システム３０のＮＦＣ装置１６と通信を行うものである。本発明の便宜上、ＮＦＣシステム３７は第１の通信システムと呼ばれる場合がある。
【００３６】
周辺機器システム４３は、ｉ）他のショートレンジＩＰベースの無線ネットワークシステム３８のＷｉ−Ｆｉ、ｉｉ）Bluetooth（登録商標）又は他のショートレンジポイント間無線通信システム３９、ｉｉｉ）ＩｒＤＡ又は他のポイント間赤外線通信システム３５及びｉｖ）他の同様のトランスポートシステムのような追加の通信システムをさらに備えることができる。
【００３７】
携帯機器３６はメモリ４９（フラッシュ又は他の不揮発性メモリであってもよい）及びユーザインタフェースをさらに備えることができる。メモリ４９は少なくともコンテキストデータベース５３と、インストールされたトランスポート周辺機器データベース５５とを記憶する。このデータベースの詳細については本明細書で以下説明する。
【００３８】
ユーザインタフェースは、ディスプレイ４０、キーパッド４４、及びプログラム可能なキースイッチを含むことができる。このキースイッチは、ｉ）移動電話機がアクティブな電話セッション状態にあるとき、音量調節のために用いるようになっている第１及び第２のキースイッチ４６ａ、４６ｂと、ｉｉ）移動電話機のデジタルカメラ又は音楽プレイヤを起動させるために用いるようになっている追加のスイッチ４８と、を含むことができる。
【００３９】
上記とは別に、図４を簡単に参照すると、ユーザインタフェースは、ディスプレイ４０、キーパッド４４、キースイッチ４６ａ、４６ｂ及び、サムホイール１００のような他のプログラム可能なユーザインタフェース制御装置を含むことができる。サムホイール１００は、移動電話機が取引を行っているとき、移動電話機がアクティブなオーディオ状態にあり、かつ、取引オプションインジケータのスクロール状態にあるとき、音量調節用キースイッチ４６ａ、４６ｂの代わりに動作する。サムホイールはまた、サムホイールの押下時に起動されるプログラム可能なスイッチを含む。
【００４０】
さらに別の代替例として、図５を簡単に参照すると、ユーザインタフェースは、ディスプレイ４０と、ディスプレイ４０の一部（オーバーレイ）として配置されたタッチパネル４２とを含むものであってもよい。このようなタッチパネル４２とスタイラスペン４７はキースイッチの代わりに動作することができる。
【００４１】
図１に戻ると、動作時に携帯機器３６はリモート・サービス・システム３０からサービスメッセージ１２を受信する。サービス選択用アプリケーション５２は、携帯機器３６のコンテキスト係数を決定し、少なくとも１つのコンテキストルールを適用することによって複数の利用可能なサービス３０ａ〜３０ｃのうちの１つのサービスを選択する。
【００４２】
図１と共に図２を参照すると、サービス選択用アプリケーション５２の動作例が示されている。ＮＦＣシステム３７がリモート・サービス・システム３０のＮＦＣシステム１６からサービスメッセージ１２を受信する際に、このようなサービスメッセージ１２のサービス記述子１３及びトランスポートオプション１５は、ステップ１００によって表されているようにサービス選択用アプリケーション５２へ渡される。
【００４３】
ステップ１０２は、複数のサービス３０のうちの１つのサービスを選択する際に用いられる現在のコンテキスト係数を特定するサービス選択用アプリケーション５２を表す（又はオペレータによる選択のために複数のサービスを順に実施する）ステップである。
【００４４】
図１と図２と共に図３ａへ少しの間戻ると、例示の現在のコンテキスト係数３１は、ｉ）アプリケーション状態係数３１ａ、ｉｉ）表示コンテンツ係数３１ｂ、ｉｉｉ）オーディオコンテンツ係数３１ｃ、ｉｖ）アクセサリ状態係数３１ｄ、ｖ）デバイス位置係数３１ｅ、ｖｉ）近接度係数３１ｆ（他のデバイスとの近接度）、ｖｉｉ）モーション係数３１ｇ（デバイス３６のモーション）、ｖｉｉｉ）キーストロークの履歴係数３１ｈ、ｉｘ）デバイスＩＤ係数３１ｉ及びｘ）アプリケーション状態履歴係数３１ｊを含むことができる。したがって、ステップ１０２はその時のデバイス３６の現状に基づいて、上記のようなコンテキスト係数３１ａ〜３１ｊの各係数を特定するステップを含むことができる。例えば、アプリケーション状態係数３１ａを特定するステップは、アプリケーション５９ａ〜５９ｆのいずれが携帯機器３６において現在アクティブであるかを特定するステップを含むことができる。
【００４５】
表示コンテンツ係数３１ｂを特定するステップは、アプリケーション５９ａ〜５９ｆのうちのどのアプリケーションがディスプレイ４０のコンテンツ及びディスプレイ４０のメディアコンテンツを駆動しているかを特定するステップを含むことができる。例えば、写真撮影・編集アプリケーション５９ｃが表示コンテンツを駆動している場合、メディアコンテンツは単一の写真又は複数の写真であってもよい。
【００４６】
オーディオコンテンツ係数３１ｃを特定するステップは、アプリケーション５９ａ〜５９ｆのうちのどのアプリケーションがデバイス３６の出力のオーディオコンテンツを駆動しているかを特定するステップを含むことができる。例えば、ＭＰ３用アプリケーション５９ｅは、アクティブで、かつ、オーディオ出力を駆動していてもよいし、あるいは、代替例では、ＭＰ３用アプリケーションはアクティブであってもよいが、電話システム６０はオーディオ出力を駆動している。
【００４７】
アクセサリ状態係数３１ｄを特定するステップは、必要な場合に、どのアクセサリがデバイス３６と結合されているかを決定し、次いで、このようなアクセサリのＩ／Ｏコンテンツを決定するステップを含むことができる。例えば内部スピーカ又はヘッドセットを介するオーディオ出力である。
【００４８】
位置係数３１ｅを特定するステップは、ＧＰＳシステムを用いてデバイス３６の位置を決定するステップを含むことができる。
【００４９】
近接度係数３１ｆを特定するステップは、例えば、Bluetoothによる問合せ走査を開始することによってデバイス３６の通信範囲内にある他のデバイスを特定するステップを含むことができる。
【００５０】
モーション係数３１ｇを特定するステップは内部のモーションセンサからデータを取得するステップ含むことができる。例えば、ユーザが署名できるようにデバイス３６を「バーチャルなペン」として用いる場合、モーション係数３１ｇを特定するステップは、ユーザが署名を行ったことを示すステップと、署名を表すデータポイントを取得するステップとを含むことができる。別例として、モーション係数３１ｇは、第１の位置（表示側面が上向き）に保持されている場合には、第１のサービスを選択するためにモーション係数を用いることができるようにデバイス３６が保持されている位置を示す識別子を含むと共に、第２の位置（表示側面が下向き）に保持されている場合には、第２のサービスを選択するモーション係数を用いることができるようにデバイス３６の保持位置を示す識別子を含むことができる。これによって、単に、リモート・サービス・システム３０のＮＦＣシステムとコンタクトを行うとき、ユーザがどのようにデバイス３６を位置付けているかによって、ユーザは好便に既知のサービスから選択を行うことができるようになる。他のモーション係数３１ｇは加速及び動きの方向を含むことができる。
【００５１】
キーストロークの履歴係数３１ｈを特定するステップは、個々のアクティブなアプリケーションにおいてキーストローク履歴の追跡を行うステップを含むことができる。
【００５２】
装置ＩＤ係数３１ｉを特定するステップは、デバイスＩＤと携帯機器３６に関連づけられたユーザＩＤとの少なくともいずれかを取得するステップを含むことが可能であり、これによって、特定のデバイスのユーザによるサービスの利用履歴を確かめることが可能になる。
【００５３】
アプリケーション状態の履歴係数３１ｊを特定するステップは、アプリケーションが履歴上アクティブであったか、ユーザインタフェースを駆動していたか、ディスプレイ４０の出力を駆動していたかのうちの少なくともいずれかを行っていた順序を取得するステップを含むことができる。
【００５４】
ステップ１０４は、リモート・サービス・システム３０により提供されるサービス３３のうちの１つのサービスを選択するためにコンテキストルールを適用するステップと、サービス３３のうちの１つのサービスのユーザ選択用リモート・サービス・システム３０により提供される複数のサービス３３のリストを順に実施するために、コンテキストベースの優先順位ルールを適用するステップとの少なくともいずれかのステップを表す。さらに詳述すると、サービス選択用アプリケーション５２は、コンテキストデータベース５３を維持し、このコンテキストデータベース５３を用いて、特定済みのコンテキスト係数３１に一致するサービス３０ａ〜３０ｃ（又は複数のサービス）を特定するステップに基づいて、リモート・サービス・システム３０が提供する（単複の）サービス３０ａ〜３０ｃを選択する（又は順に実施する）ことができる。
【００５５】
図１と図２と共に図３ｂへ少しの間戻ると、コンテキストデータベース５３の一部の実施形態例が示されている。当業者であれば理解できるように、図３によって表される構造は、コンテキストベースの選択を実行するか、リモートサービスプロバイダ３０からのサービス又は利用可能なアプリケーションを順に実施するためのシステム例である。（ＸＭＬファイルを含む）他のデータベース構造を選択して、本発明の範囲から逸脱することなく、同様のデータの相互関係と同様の選択機能との少なくともいずれかを実現するようにすることができる。
【００５６】
コンテキストルールのデータベース５３は、ステップ１０２で決定されたコンテキスト係数３１の関連データが個々に含まれている、複数のネスト化されたテーブル８０ａ〜８０ｉと、利用履歴を示すテーブル８２とを含むことができる。サービスカテゴリ履歴テーブル８２には、相互に関連づけられたテーブル８０ａ〜８０ｉによって定められた現在のコンテキスト係数３１に関係する所定のサービスのリストが含まれている。
【００５７】
例えば、アプリケーション状態テーブル８０ａは複数のレコード８１ａを含む。個々のレコード８１ａは、ステップ１０２において決定できる可能なアプリケーション状態係数のうちの１つの係数を表すものとする。アプリケーション状態８４ａは、写真撮影及び閲覧／編集用アプリケーション５９ｃがアクティブになっているアプリケーション状態を表す。アプリケーション状態８４ｂはＭＰ３オーディオ用アプリケーション５９ｅがアクティブになっているアプリケーション状態を表す。アプリケーション状態８４ｃはビデオアプリケーション５９ｆがアクティブになっているアプリケーション状態を表す。
【００５８】
表示コンテンツテーブル８０ｂがリンクされている特別のアプリケーション状態にデバイス３６があるとき、可能な表示コンテンツを表す複数のレコード８１ｂを含む表示コンテンツテーブル８０ｂは、アプリケーション状態テーブル８０ａの個々のレコードとリンクされる。例えば、デバイス３６が、アクティブ状態になっている写真撮影編集／閲覧用アプリケーション５９ｃを含むとき、表示コンテンツはレコード８１ｂによって表されるような単一の写真又は複数の写真であってもよい。
【００５９】
コンテキスト係数の各々を連続的に評価して、ネスト化されたコンテキストテーブル８０ａ〜８０ｉの各テーブルの中にあるレコードを選択する処理を行った結果、特別の利用履歴テーブル８２からなる選択結果が得られることになる。利用履歴テーブル８２には複数のレコード８３が含まれている。個々のレコードによって、（相互に関連づけられたネスト化されたコンテキストテーブル８０ａ〜８０ｉにより決定されるような）コンテキスト係数３１の各々に関係する所定のサービス（又はサービスのカテゴリ）が、利用スコア８８と関連付けられる。コンテキストルールを適用することによって最高点の利用スコアを含むサービスを選択することにより単一サービスの選択を含むことができる。サービスを順に実施するための優先順位ルールの適用は、利用スコアに基づく順序で順に実施することにより行うことができる。
【００６０】
１つの実施形態例では、携帯機器３６が以前同じコンテキスト状態又は同様のコンテキスト状態にあった場合には、個々の利用履歴スコア値８８はサービスの利用回数を表す値としてもよい。
【００６１】
図１と共に図２に戻ると、ステップ１０６は、リモート・サービス・システム３０が選択済みのサービスに対して利用可能となるトランスポートオプションの１つを選択するステップを表す。さらに詳述すると、サービス選択用アプリケーション５２は、トランスポートオプション（又は（携帯機器３６での使用に供されるインストールされかつ可能なトランスポートオプションをサポートしている周辺機器システムなどの）携帯機器３６で利用可能なトランスポートオプション）を特定するステップに基づいて、（トランスポートオプションインジケータ１５により個々に特定された）リモート・サービス・システム３０によって提供されるトランスポートオプションを選択する。
【００６２】
さらに詳述すると、インストールされたトランスポート周辺機器のデータベース５５は携帯機器３６にインストールすることができ、かつ、利用可能なトランスポートオプション周辺機器のリストを含むことも可能である。したがって、ステップ１０６は、ｉ）ステップ１０６ａによって表されるようなトランスポート周辺機器データベース５５にリストされているトランスポートオプション周辺機器に一致する上記トランスポートオプションインジケータ１５を（サービスメッセージ１２のなかから）選択するステップと、ｉｉ）複数のトランスポートオプション周辺機器を用いることができる場合、（最も高速のデータレートのような）２次基準に基づくトランスポートオプションの選択か、あるいは、ステップ１０６ｂによって表されるようなユーザによる選択のためのトランスポートオプションの順序かのいずれかを含むことができる。
【００６３】
図１と共に図５を簡単に参照すると、トランスポートオプションのユーザ選択には、ユーザによる選択と照合の少なくともいずれかを行うために、表示画面４０において互換性を有するサービスインジケータと連動して表示されるトランスポートオプションを順に実施するサービスを選択するためのアプリケーション５２を含むことができる。
【００６４】
図２に戻ると、ステップ１０７は、サービスのうちの選択された１つのサービスの利用を開始するユーザの意思の確認を行うか、あるいは、複数のサービスが優先順位の形でリストされている場合、ユーザが開始を意図する利用サービスを選択する。さらに詳述すると、ステップ１０７aは、選択済みのサービス（又はサービスの優先順位を示す順序）の表示をディスプレイ４０上で駆動するステップを表すことができる。ステップ１０７bはキー・スイッチ４６a、４６b、サムホイール１００（図４）又はタッチパネル４２（図５）によってユーザ選択を検出するステップを表す。
【００６５】
ステップ１０８は、選択済みのトランスポートオプションのトランスポートオプションインジケータ１５の中に含まれている起動アドレスへのメッセージを開始することによって選択済みのトランスポートオプションを用いて、（サービス記述子１３により特定された）選択済みのサービスのためのリモート・サービス・システム３０へのサービスコールを生成する選択用アプリケーション５２を表す。
【００６６】
ステップ１１０は、コンテキストデータベース５３を更新して、選択済みのサービスの利用を反映するようにするサービス選択用アプリケーション５２を表す。コンテキストデータベース５３を更新するステップは、その時の携帯機器３６のアプリケーションの現状に関連づけられる利用履歴テーブル８２の利用履歴スコア値８８を更新するステップを含むことができる。
【００６７】
本発明のシステム及び方法は、リモートサービスプロバイダシステム及び、選択済みのサービスの利用を開始するための複数のトランスポートオプションの中から選択することにより提供できる複数のサービスの中から選択を行うための好便なシステムを提供するものであることを理解すべきである。或る好ましい実施形態に関連して本発明について図示し、説明したが、本明細書を読み、理解するとき、当業者の心に均等物及び変更例が思い浮かぶであろうことは明らかである。本発明は、すべてのこのような均等物並びに変更例を含むものであり、さらに、請求項の範囲によってのみ限定されるものである。
【図１】
2010509826.tif 000003
【図２】
2010509826.tif 000004
【図３ａ】
2010509826.tif 000005
【図３ｂ】
2010509826.tif 000006
【図４】
2010509826.tif 000007
【図５】
2010509826.tif 000008
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
リモート・サービス・システムによって提供されるサービスを利用するための携帯機器であって、
前記リモート・サービス・システムからＮＦＣを介してサービスメッセージを受信する通信システムであって、前記サービスメッセージは少なくとも１つのサービス記述子を含み、前記少なくとも１つのサービス記述子のそれぞれは、前記リモート・サービス・システムによって提供されるサービスを特定する、通信システムと、
サービス選択用アプリケーションであって、
前記リモート・サービス・システムによって提供される前記サービスのうちの選択された１つのサービスを決定するために、少なくとも１つのコンテキストルールを適用し、
前記リモート・サービス・システムによって提供される前記サービスのうちの前記選択された１つのサービスの利用を開始するために、前記リモート・サービス・システムとデータ交換を行うべく前記通信システムを駆動する
サービス選択用アプリケーションと
を備えることを特徴とする携帯機器。
【請求項２】
前記サービスメッセージは少なくとも２つのサービス記述子を含み、前記少なくとも２つのサービス記述子のそれぞれは、前記リモート・サービス・システムにより提供される少なくとも２つのサービスのうちの１つのサービスを特定し、
前記サービス選択用アプリケーションは、前記リモート・サービス・システムによって提供される前記少なくとも２つのサービスのうちの選択された１つのサービスを決定するために、前記少なくとも１つのコンテキストルールを適用する
ことを特徴とする請求項１に記載の携帯機器。
【請求項３】
前記リモート・サービス・システムによって提供される前記サービスのうちの選択された１つのサービスを決定するための、少なくとも１つのコンテキストルールの適用には、
前記携帯機器の現在のコンテキスト係数の特定と、
前記少なくとも１つのサービス記述子のどの記述子が前記携帯機器の現在のコンテキスト係数に関連づけられているかの特定による、前記サービスのうちの選択された１つのサービスの特定と、
が含まれることを特徴とする請求項２に記載の携帯機器。
【請求項４】
前記携帯機器の現在のコンテキスト係数の特定には、前記携帯機器の少なくとも現在のアプリケーション状態の特定が含まれ、
前記少なくとも１つのサービス記述子のうちのいずれが前記携帯機器の現在のコンテキスト係数に関連づけられているかの特定による、前記サービスのうちの選択された１つのサービスの特定には、サービス記述子のうちの少なくとも１つのどの記述子が前記携帯機器の現在のアプリケーション状態に関連づけられているかの特定による、前記サービスのうちの選択された１つのサービスの特定が含まれる
ことを特徴とする請求項３に記載の携帯機器。
【請求項５】
前記携帯機器の現在のコンテキスト係数の特定には、i）表示コンテンツ係数と、ii）オーディオコンテンツ係数と、iii）アクセサリ状態係数と、iv）装置位置係数と、v）他の装置との近接度係数と、vi）装置モーション係数と、vii）キーストロークの履歴係数と、viii）装置ＩＤ係数と、から成るコンテキスト係数のグループから選択された少なくとも１つの追加のコンテキスト係数の特定が、さらに含まれることを特徴とする請求項４に記載の携帯機器。
【請求項６】
前記通信システムは第１の通信システムと第２の通信システムとを備え、
前記第１の通信システムは前記リモート・サービス・システムからサービスメッセージを受信し、
前記サービスメッセージは少なくとも１つのトランスポートオプションの識別子をさらに含み、前記少なくとも１つのトランスポートオプションは前記少なくとも１つのサービスの利用を開始するための起動アドレスの識別子を含み、
前記サービス選択用アプリケーションは、起動アドレスへのメッセージを開始することによって前記リモート・サービス・システムとデータ交換を行うために、前記第２の通信システムを駆動する
ことを特徴とする請求項５に記載の携帯機器。
【請求項７】
ユーザインタフェースをさらに備え、
前記サービス選択用アプリケーションは、さらに、
前記ユーザインタフェースを介して、前記サービスのうちの選択された１つのサービスの表示を提供し、
前記ユーザインタフェースを介して、前記サービスのうちの選択された１つのサービスの利用開始の前記ユーザの意思を確認し、
前記リモート・サービス・システムによって提供される前記サービスのうち前記選択された１つのサービスの利用を前記確認の後にのみ開始するために、前記リモート・サービス・システムとデータ交換を行うべく前記通信システムを駆動する
ことを特徴とする請求項６に記載の携帯機器。
【請求項８】
前記少なくとも１つのサービス記述子のどの記述子が前記携帯機器の現在のコンテキスト係数に関連づけられているかの特定による、前記サービスのうちの選択された１つのサービスの特定には、現在のコンテキスト係数の識別子と少なくとも１つのサービスの利用履歴との間の関連付けに基づく、前記少なくとも１つのサービス記述子のうちのいずれが前記携帯機器の現在のコンテキスト係数に関連づけられているかの特定が含まれることを特徴とする請求項３に記載の携帯機器。
【請求項９】
前記携帯機器の現在のコンテキスト係数の特定には、i）表示コンテンツ係数と、ii）オーディオコンテンツ係数と、iii）アクセサリ状態係数と、iv）装置位置係数と、v）他の装置との近接度係数と、vi）装置モーション係数と、vii）キーストロークの履歴係数と、viii）装置ＩＤ係数と、から成るコンテキスト係数のグループから選択された少なくとも１つの追加のコンテキスト係数の特定がさらに含まれることを特徴とする請求項８に記載の携帯機器。
【請求項１０】
前記通信システムは第１の通信システムと第２の通信システムとを備え、
前記第１の通信システムは前記リモート・サービス・システムからサービスメッセージを受信し、前記サービスメッセージは少なくとも１つのトランスポートオプションの識別子をさらに含み、前記少なくとも１つのトランスポートオプションは、前記少なくとも１つのサービスの利用を開始するための起動アドレスの識別子を含み、
前記サービス選択用アプリケーションは、起動アドレスへのメッセージを開始することによって前記リモート・サービス・システムとデータ交換を行うために、前記第２の通信システムを駆動する
ことを特徴とする請求項８に記載の携帯機器。
【請求項１１】
前記リモート・サービス・システムによって提供される前記少なくとも２つのサービスのうちの選択された１つのサービスを決定するための、前記少なくとも１つのコンテキストルールの適用が、
前記携帯機器の現在のコンテキスト係数の特定と、
前記サービス記述子のうちいずれが前記携帯機器の現在のコンテキスト係数に関連づけられているかを特定することによる、少なくとも２つの選択されたサービスの特定とを含み、
前記サービス選択用アプリケーションは、さらに、
優先順位を特定するために、少なくとも２つの選択されたサービスに対して少なくとも１つの優先順位ルールを適用し、
前記ユーザインタフェースを介して、前記少なくとも２つの選択されたサービスを前記優先順位で表示し、
前記少なくとも２つの選択されたサービスのうちの選択された１つのサービスの前記ユーザによる選択指示を前記ユーザインタフェースを介して取得し、
前記サービス選択用アプリケーションは、前記ユーザによる選択指示を取得した後にのみ前記リモート・サービス・システムにより提供される前記サービスのうちの前記選択された１つのサービスの利用を開始するために、前記リモート・サービス・システムとデータ交換を行うべく前記通信システムを駆動する
ことを特徴とする請求項２に記載の携帯機器。
【請求項１２】
前記優先順位を特定するための、前記少なくとも２つの選択されたサービスに対する前記少なくとも１つの優先順位ルールの適用は、現在のコンテキスト係数の識別子と前記サービスの利用履歴との間の関連付けに基づくことを特徴とする請求項１１に記載の携帯機器。
【請求項１３】
前記少なくとも２つの選択されたサービスの特定は、現在のコンテキスト係数の識別子と前記サービスの利用履歴との間の関連付けに基づく、前記サービス記述子のうちのいずれが前記携帯機器の前記現在のコンテキスト係数に関連づけられるかの特定を含み、
前記優先順位を特定するための、前記少なくとも２つの選択されたサービスに対する前記少なくとも１つの優先順位ルールの適用は、現在のアプリケーション状態の識別子と、前記少なくとも２つの選択されたサービスの利用履歴との間の関連付けに基づく
ことを特徴とする請求項１１に記載の携帯機器。
【請求項１４】
リモート・サービス・システムによって提供されるサービスを利用するための携帯機器の動作方法であって、
携帯機器においてＮＦＣを介して前記リモート・サービス・システムからサービスメッセージを受信する工程であって、前記サービスメッセージは少なくとも１つのサービス記述子を含み、前記少なくとも１つのサービス記述子のそれぞれは、前記リモート・サービス・システムによって提供されるサービスを特定する、工程と、
前記リモート・サービス・システムによって提供される前記サービスのうちの選択された１つのサービスを決定するために、少なくとも１つのコンテキストルールを適用する工程と、
前記リモート・サービス・システムによって提供される前記サービスのうちの前記選択された１つのサービスの利用を開始するために、前記リモート・サービス・システムとデータ交換を行うべく前記通信システムを駆動する工程と、
を備えることを特徴とする方法。
【請求項１５】
前記サービスメッセージは少なくとも２つのサービス記述子を含み、前記少なくとも２つのサービス記述子のそれぞれは、前記リモート・サービス・システムにより提供される少なくとも２つのサービスのうちの１つのサービスを特定し、
前記リモート・サービス・システムによって提供される前記サービスのうちの選択された１つのサービスを決定するために、少なくとも１つのコンテキストルールを適用する工程は、前記リモート・サービス・システムによって提供される前記少なくとも２つのサービスのうちの選択された１つのサービスを決定するために前記少なくとも１つのコンテキストルールを適用する工程を含む
ことを特徴とする請求項１４に記載の方法。
【請求項１６】
前記リモート・サービス・システムによって提供される前記サービスのうちの選択された１つのサービスを決定するために、少なくとも１つのコンテキストルールを適用する工程は、
前記携帯機器の現在のコンテキスト係数を特定する工程と、
前記少なくとも１つのサービス記述子のいずれが前記携帯機器の現在のコンテキスト係数に関連づけられるかを特定することによって、前記サービスのうちの選択された１つのサービスを特定する工程と、
を含むことを特徴とする請求項１５に記載の方法。
【請求項１７】
前記携帯機器の現在のコンテキスト係数を特定する工程は、前記携帯機器の少なくとも現在のアプリケーション状態を特定する工程を含み、
前記少なくとも１つのサービス記述子のうちいずれが前記携帯機器の現在のコンテキスト係数に関連づけられているかを特定することによって、前記サービスのうちの選択された１つのサービスを特定する工程は、サービス記述子のうちの少なくとも１つのどの記述子が前記携帯機器の現在のアプリケーション状態に関連づけられているかを特定することによって、前記サービスのうちの選択された１つのサービスを特定する工程を含む
ことを特徴とする請求項１６に記載の方法。
【請求項１８】
前記携帯機器の現在のコンテキスト係数を特定する工程は、i）表示コンテンツ係数と、ii）オーディオコンテンツ係数と、iii）アクセサリ状態係数と、iv）装置位置係数と、v）他の装置との近接度係数と、vi）装置モーション係数と、vii）キーストロークの履歴係数と、viii）装置ＩＤ係数と、から成るコンテキスト係数のグループから選択された少なくとも１つの追加のコンテキスト係数を特定する工程をさらに含むことを特徴とする請求項１７に記載の方法。
【請求項１９】
前記リモート・サービス・システムから前記サービスメッセージを受信する工程は第１の通信システムを介して行われ、
前記サービスメッセージは少なくとも１つのトランスポートオプションの識別子をさらに含み、前記少なくとも１つのトランスポートオプションは、前記少なくとも１つのサービスの利用を開始するための起動アドレスの識別子を含み、
前記サービス選択用アプリケーションは、起動アドレスへのメッセージを開始することによって前記リモート・サービス・システムとデータ交換を行うために、前記第２の通信システムを駆動する
ことを特徴とする請求項１８に記載の方法。
【請求項２０】
ユーザインタフェースを介して、前記サービスのうちの選択された１つのサービスの表示を提供する工程と、
前記ユーザインタフェースを介して、前記サービスのうちの選択された１つのサービスの利用開始の前記ユーザの意思を確認する工程とをさらに備え、
前記リモート・サービス・システムによって提供される前記サービスのうち前記選択された１つのサービスの利用を開始すべく行われる前記リモート・サービス・システムとデータ交換のための前記通信システムの駆動が、前記確認の後に行われることを特徴とする請求項１９に記載の方法。
【請求項２１】
前記少なくとも１つのサービス記述子のいずれが前記携帯機器の現在のコンテキスト係数に関連づけられるかを特定することによって、前記サービスのうちの選択された１つのサービスを特定する工程が、現在のコンテキスト係数の識別子と少なくとも１つのサービスの利用履歴との間の関連付けに基づいて、前記サービス記述子のうちのいずれが前記携帯機器の現在のアプリケーション状態に関連づけられているかを特定する工程を含むことを特徴とする請求項１６に記載の方法。
【請求項２２】
前記携帯機器の現在のコンテキスト係数を特定する工程は、i）表示コンテンツ係数と、ii）オーディオコンテンツ係数と、iii）アクセサリ状態係数と、iv）装置位置係数と、v）他の装置との近接度係数と、vi）装置モーション係数と、vii）キーストロークの履歴係数と、viii）装置ＩＤ係数と、から成るコンテキスト係数のグループから選択された少なくとも１つの追加のコンテキスト係数を特定する工程をさらに含むことを特徴とする請求項２１に記載の方法。
【請求項２３】
前記リモート・サービス・システムから前記サービスメッセージを受信する工程は第１の通信システムを介して行われ、
前記サービスメッセージは少なくとも１つのトランスポートオプションの識別子をさらに含み、前記少なくとも１つのトランスポートオプションは、前記少なくとも１つのサービスの利用を開始するための起動アドレスの識別子を含み、
前記サービス選択用アプリケーションは、起動アドレスへのメッセージを開始することによって前記リモート・サービス・システムとデータ交換を行うために、第２の通信システムを駆動する
ことを特徴とする請求項２１に記載の方法。
【請求項２４】
前記リモート・サービス・システムによって提供される前記サービスのうちの選択された１つのサービスを決定するために、前記少なくとも１つのコンテキストルールを適用する工程が、
前記携帯機器の現在のコンテキスト係数を特定する工程と、
前記サービス記述子のうちのいずれが前記携帯機器の現在のコンテキスト係数に関連づけられているかを特定することによって、少なくとも２つの選択されたサービスを特定する工程とを備え、
優先順位を特定するための、少なくとも２つの選択されたサービスに対する少なくとも１つの優先順位ルールの適用は、現在のコンテキスト係数の識別子と前記サービスの利用履歴との間の関連付けに基づいて実行される
ことを特徴とする請求項１６に記載の方法。
【請求項２５】
前記少なくとも２つの選択されたサービスを特定する工程は、前記サービス記述子のうちのいずれが、現在のコンテキスト係数の識別子と前記サービスの利用履歴との間の関連付けに基づいて、前記携帯機器の前記現在のコンテキスト係数に関連づけられるかを特定する工程を含み、
前記優先順位を特定するの、少なくとも２つの選択されたサービスに対する少なくとも１つの優先順位ルールの適用は、現在のアプリケーション状態の識別子と、前記少なくとも２つの選択されたサービスの利用履歴との間の関連付けに基づいて実行される
ことを特徴とする請求項２４に記載の方法。
【請求項２６】
ユーザインタフェースを介して、前記少なくとも２つの選択されたサービスを前記優先順位で表示する工程と、
前記少なくとも２つの選択されたサービスのうちの選択された１つのサービスの前記ユーザによる選択指示を前記ユーザインタフェースを介して取得する工程と、、
前記ユーザ選択指示を取得した後にのみ前記リモート・サービス・システムによって提供される前記サービスのうちの前記選択された１つのサービスの利用を開始するために前記リモート・サービス・システムとデータ交換を行うべく、前記通信システムを駆動する工程と、
をさらに備えることを特徴とする請求項２５に記載の方法。
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
リモート・サービス・システムによって提供されるサービスを利用するための携帯機器であって、
前記リモート・サービス・システムからサービスメッセージを受信する通信システムであって、前記サービスメッセージは少なくとも１つのサービス記述子を含み、前記少なくとも１つのサービス記述子のそれぞれは、前記リモート・サービス・システムによって提供されるサービスを特定する、通信システムと、
サービス選択用アプリケーションであって、
前記リモート・サービス・システムによって提供される前記サービスのうちの選択された１つのサービスを決定するために、少なくとも１つのコンテキストルールを適用し、
前記リモート・サービス・システムによって提供される前記サービスのうちの前記選択された１つのサービスの利用を開始するために、前記リモート・サービス・システムとデータ交換を行うべく前記通信システムを駆動する
サービス選択用アプリケーションと
を備えることを特徴とする携帯機器。
【請求項２】
前記サービスメッセージは少なくとも２つのサービス記述子を含み、前記少なくとも２つのサービス記述子のそれぞれは、前記リモート・サービス・システムにより提供される少なくとも２つのサービスのうちの１つのサービスを特定し、
前記サービス選択用アプリケーションは、前記リモート・サービス・システムによって提供される前記少なくとも２つのサービスのうちの選択された１つのサービスを決定するために、前記少なくとも１つのコンテキストルールを適用する
ことを特徴とする請求項１に記載の携帯機器。
【請求項３】
前記リモート・サービス・システムによって提供される前記サービスのうちの選択された１つのサービスを決定するための、少なくとも１つのコンテキストルールの適用には、
前記携帯機器の現在のコンテキスト係数の特定と、
前記少なくとも１つのサービス記述子のどの記述子が前記携帯機器の現在のコンテキスト係数に関連づけられているかの特定による、前記サービスのうちの選択された１つのサービスの特定と、
が含まれることを特徴とする請求項２に記載の携帯機器。
【請求項４】
前記携帯機器の現在のコンテキスト係数の特定には、前記携帯機器の少なくとも現在のアプリケーション状態の特定が含まれ、
前記少なくとも１つのサービス記述子のうちのいずれが前記携帯機器の現在のコンテキスト係数に関連づけられているかの特定による、前記サービスのうちの選択された１つのサービスの特定には、サービス記述子のうちの少なくとも１つのどの記述子が前記携帯機器の現在のアプリケーション状態に関連づけられているかの特定による、前記サービスのうちの選択された１つのサービスの特定が含まれる
ことを特徴とする請求項３に記載の携帯機器。
【請求項５】
前記携帯機器の現在のコンテキスト係数の特定には、i）表示コンテンツ係数と、ii）オーディオコンテンツ係数と、iii）アクセサリ状態係数と、iv）装置位置係数と、v）他の装置との近接度係数と、vi）装置モーション係数と、vii）キーストロークの履歴係数と、viii）装置ＩＤ係数と、から成るコンテキスト係数のグループから選択された少なくとも１つの追加のコンテキスト係数の特定が、さらに含まれることを特徴とする請求項４に記載の携帯機器。
【請求項６】
前記通信システムは第１の通信システムと第２の通信システムとを備え、
前記第１の通信システムは前記リモート・サービス・システムからサービスメッセージを受信し、
前記サービスメッセージは少なくとも１つのトランスポートオプションの識別子をさらに含み、前記少なくとも１つのトランスポートオプションは前記少なくとも１つのサービスの利用を開始するための起動アドレスの識別子を含み、
前記サービス選択用アプリケーションは、起動アドレスへのメッセージを開始することによって前記リモート・サービス・システムとデータ交換を行うために、前記第２の通信システムを駆動する
ことを特徴とする請求項５に記載の携帯機器。
【請求項７】
前記少なくとも１つのサービス記述子のどの記述子が前記携帯機器の現在のコンテキスト係数に関連づけられているかの特定による、前記サービスのうちの選択された１つのサービスの特定には、現在のコンテキスト係数の識別子と少なくとも１つのサービスの利用履歴との間の関連付けに基づく、前記少なくとも１つのサービス記述子のうちのいずれが前記携帯機器の現在のコンテキスト係数に関連づけられているかの特定が含まれることを特徴とする請求項３乃至６のいずれか１項に記載の携帯機器。
【請求項８】
前記通信システムは第１の通信システムと第２の通信システムとを備え、
前記第１の通信システムは前記リモート・サービス・システムからサービスメッセージを受信し、前記サービスメッセージは少なくとも１つのトランスポートオプションの識別子をさらに含み、前記少なくとも１つのトランスポートオプションは、前記少なくとも１つのサービスの利用を開始するための起動アドレスの識別子を含み、
前記サービス選択用アプリケーションは、起動アドレスへのメッセージを開始することによって前記リモート・サービス・システムとデータ交換を行うために、前記第２の通信システムを駆動する
ことを特徴とする請求項３乃至７のいずれか１項に記載の携帯機器。
【請求項９】
前記リモート・サービス・システムによって提供される前記少なくとも２つのサービスのうちの選択された１つのサービスを決定するための、前記少なくとも１つのコンテキストルールの適用が、
前記携帯機器の現在のコンテキスト係数の特定と、
前記サービス記述子のうちいずれが前記携帯機器の現在のコンテキスト係数に関連づけられているかを特定することによる、少なくとも２つの選択されたサービスの特定とを含み、
前記サービス選択用アプリケーションは、さらに、
優先順位を特定するために、少なくとも２つの選択されたサービスに対して少なくとも１つの優先順位ルールを適用し、
前記ユーザインタフェースを介して、前記少なくとも２つの選択されたサービスを前記優先順位で表示し、
前記少なくとも２つの選択されたサービスのうちの選択された１つのサービスの前記ユーザによる選択指示を前記ユーザインタフェースを介して取得し、
前記サービス選択用アプリケーションは、前記ユーザによる選択指示を取得した後にのみ前記リモート・サービス・システムにより提供される前記サービスのうちの前記選択された１つのサービスの利用を開始するために、前記リモート・サービス・システムとデータ交換を行うべく前記通信システムを駆動する
ことを特徴とする請求項２乃至８のいずれか１項に記載の携帯機器。
【請求項１０】
前記少なくとも２つの選択されたサービスの特定は、現在のコンテキスト係数の識別子と前記サービスの利用履歴との間の関連付けに基づく、前記サービス記述子のうちのいずれが前記携帯機器の前記現在のコンテキスト係数に関連づけられるかの特定を含み、
前記優先順位を特定するための、前記少なくとも２つの選択されたサービスに対する前記少なくとも１つの優先順位ルールの適用は、現在のアプリケーション状態の識別子と、前記少なくとも２つの選択されたサービスの利用履歴との間の関連付けに基づく
ことを特徴とする請求項９に記載の携帯機器。
【国際調査報告】
2010509826.tif 000009
2010509826.tif 000010
2010509826.tif 000011